(57)【特許請求の範囲】
【請求項１】
カードを前方から受容する、複数のコンタクトを保持する絶縁性のハウジングと、前記カードを前記ハウジングから排出する排出位置および前記カードを受容するカード受容位置を取り得るよう前記ハウジング内に摺動可能に配置されるスライダと、該スライダに保持されて、前記カードの側縁の切欠きに係合して前記カードを前記カード受容位置にロックするロック部材と、前記スライダを前記排出位置と前記カード受容位置に位置決めする位置決め機構とを備えるカード用コネクタであって、
前記ロック部材が、前記スライダに固定される固定端部と、該固定端部から前記カード用コネクタの前方に延びるアームと、前記カード用コネクタの後方を向き前記切欠きに係合する係合面を有し、前記アームから湾曲して前記前方に延びる係合突起と、該係合突起から前記前方に延び、前記カード受容位置において前記ハウジングの支持面に接触して支持され、前記排出位置において前記支持面から離隔する自由端部とを有する略帯状の金属板のばね片から構成され、該自由端部は、前記支持面に接触する舌片であり、該舌片は前記スライダの底面から突出する部分を有し、前記舌片の前記突出部分は、前記係合面に対して、前記ばね片の幅方向に偏倚しており、前記スライダが前記排出位置にあるときは、前記カードの抜去により前記ロック部材が撓んで前記カードの前記切欠きとの係合が外れ、前記スライダが前記カード受容位置にあるときは、前記カードの無理抜きにより、前記舌片の前記突出部分が前記支持面に接触した状態で、前記係合突起の形状が前記カードの挿抜方向に僅かに延びるように変形すると共に前記ロック部材の前記固定端部の回りにねじれて変形して前記係合突起と前記切欠きとの係合が外れるよう構成されていることを特徴とするカード用コネクタ。
【発明の詳細な説明】
【０００１】
【発明の属する技術分野】
本発明は、カード型の記録媒体が接続されるカード用コネクタに関し、特に記録媒体をロック（係止）するロック部材を有するカード用コネクタに関する。
【０００２】
【従来の技術】
従来、ロック部材を有するカード用コネクタとしては、種々のタイプのものがあるが、その一例として特許第３０６５３１０号公報に開示された、カード用コネクタが知られている。このコネクタは、カードを受容してコネクタハウジング内を、カードの挿抜方向に摺動するスライドプレートを有する。側縁に切欠きを有するカードが、スライドプレートに保持された状態で、この切欠きとコネクタハウジングに取り付けられたロック部材即ち線状のばねの突起とが係合して、コネクタハウジング内に係止されるようになっている。
【０００３】
【発明が解決しようとする課題】
前述の従来技術では、カードの切欠きと、ロック部材としてのばねの突起が、カードの挿抜方向に直交する互いの平面同士で係合しているので、係合強度が大きいといえる。しかし、カードを誤って引き抜こうとした場合、カードとロック部材に、無理な力が加わり、いずれか、或いは両方が損傷を受ける虞がある。
【０００４】
本発明は、以上の点に鑑みてなされたものであり、本発明の目的は、カードとロック部材が強く係合していながら、ロック状態にあるカードを無理に引き抜いた場合においても、カード／ロック部材が破損することのないカード用コネクタを提供することにある。
【０００５】
【課題を解決するための手段】
本発明のカード用コネクタは、カードを前方から受容する、複数のコンタクトを保持する絶縁性のハウジングと、カードをハウジングから排出する排出位置およびカードを受容するカード受容位置を取り得るようハウジング内に摺動可能に配置されるスライダと、このスライダに保持されて、カードの側縁の切欠きに係合してカードをカード受容位置にロックするロック部材と、スライダを排出位置とカード受容位置に位置決めする位置決め機構とを備えるカード用コネクタであって、ロック部材が、スライダに固定される固定端部と、固定端部からカード用コネクタの前方に延びるアームと、カード用コネクタの後方を向き切欠きに係合する係合面を有し、アームから湾曲して前方に延びる係合突起と、係合突起から前方に延び、カード受容位置においてハウジングの支持面に接触して支持され、排出位置において支持面から離隔する自由端部とを有する略帯状の金属板のばね片から構成され、自由端部は、支持面に接触する舌片であり、舌片はスライダの底面から突出する部分を有し、舌片の突出部分は、係合面に対して、ばね片の幅方向に偏倚しており、スライダが前記排出位置にあるときは、カードの抜去によりロック部材が撓んでカードの切欠きとの係合が外れ、スライダがカード受容位置にあるときは、カードの無理抜きにより、舌片の突出部分が支持面に接触した状態で、係合突起の形状がカードの挿抜方向に僅かに延びるように変形すると共にロック部材の固定端部の回りにねじれて変形して係合突起と切欠きとの係合が外れるよう構成されていることを特徴とするものである。
【０００６】
ここで、「カード型の記録媒体」とは、キャッシュカードの如き薄板状の幅広形状を有するものの他、メモリースティック（ソニー株式会社の登録商標）のような比較的幅の狭い記録媒体も含むものとする。
【０００８】
【発明の効果】
本発明のカード用コネクタは、カードを前方から受容する、複数のコンタクトを保持する絶縁性のハウジングと、カードをハウジングから排出する排出位置およびカードを受容するカード受容位置を取り得るようハウジング内に摺動可能に配置されるスライダと、このスライダに保持されて、カードの側縁の切欠きに係合してカードをカード受容位置にロックするロック部材と、スライダを排出位置とカード受容位置に位置決めする位置決め機構とを備えるカード用コネクタであって、ロック部材が、スライダに固定される固定端部と、固定端部からカード用コネクタの前方に延びるアームと、カード用コネクタの後方を向き切欠きに係合する係合面を有し、アームから湾曲して前方に延びる係合突起と、係合突起から前方に延び、カード受容位置においてハウジングの支持面に接触して支持され、排出位置において支持面から離隔する自由端部とを有する略帯状の金属板のばね片から構成され、自由端部は、支持面に接触する舌片であり、舌片はスライダの底面から突出する部分を有し、舌片の突出部分は、係合面に対して、ばね片の幅方向に偏倚しており、スライダが前記排出位置にあるときは、カードの抜去によりロック部材が撓んでカードの切欠きとの係合が外れ、スライダがカード受容位置にあるときは、カードの無理抜きにより、舌片の突出部分が支持面に接触した状態で、係合突起の形状がカードの挿抜方向に僅かに延びるように変形すると共にロック部材の固定端部の回りにねじれて変形して係合突起と切欠きとの係合が外れるよう構成されているので次の効果を奏する。
【０００９】
即ちロック状態にあるカードはロック部材との係合強度が大きく、また、カードを無理に引き抜いた場合に、カードの切欠きと係合しているロック部材の係合突起が、弾性変形して互いの係合が外れるので、カード／ロック部材が破損することがない。
【００１０】
【発明の実施の形態】
以下、本発明のカード用コネクタ（以下単にコネクタという）１の好ましい実施の形態について図面を参照して詳細に説明する。図１は、本発明のコネクタ１の平面図、図２は、図１に示すコネクタ１の正面図、図３は図１に示すコネクタ１を透視的に示す、図１と同様の平面図である。
【００１１】
以下、図１乃至図３を参照して説明する。コネクタ１は、絶縁性の樹脂により成形したハウジング２０と、このハウジング２０上に被嵌されるシェル２で覆われている。コネクタ１は、図１の下側に嵌合部１４を有し、この嵌合部１４に矢印Cで示す方向からコネクタ１にカード（記録媒体）２５０（図１０乃至１２）が挿入される。シェル２は、金属板、好適には銅合金板を打抜き折り曲げて形成され、図１において、主面４の略中央部から右寄りに略矩形状の開口２２を有し、シェル２の側壁６a、６bには、コネクタ１を回路基板等の取付部材８（図２）に固定する為のタブ１０を有する。タブ１０は取付穴１０aを有し、互いに前後に位置ずれして各側壁６a、６bに１個設けられている。
【００１２】
開口２２の片側即ち左側には、カード２５０の挿抜方向に延びる切欠き１６が形成されている。開口２２の、嵌合部１４側の端縁２２aの両側には、後方に延びる舌片１８が突設されている。この舌片１８は、紙面の反対側に僅かに折り曲げられており、挿入されるカード２５０の外表面と弾性的に接触するよう構成されている。これにより、カード２５０を排出する際にカード２５０にブレーキをかけ、カード２５０が勢いよくコネクタ１から飛び出して損傷することを防止している。ここで前方とはコネクタ１の嵌合部１４側を、後方とは嵌合部１４と反対側即ち図１では上側をいうものとする。
【００１３】
シェル２の主面４には、側壁６a側にカード２５０の挿抜方向に延びる凸形の開口２４が形成され、この開口２４に、この開口２４の後端縁２４bから、コネクタ１の前方に延びる同様に凸形即ち逆Ｔ字形の押さえ片（板ばね）２６が切り起こされて形成されている。押さえ片２６の先端部２６aは幅の広い矩形形状に形成されており、押さえ片２６全体が弾性的にコネクタ１の内側に付勢するよう片持梁状に形成されている。この押さえ片２６の前方には、同様に前後方向に延びる矩形の開口２８が形成され、この開口２８内に同様形状の細長いラッチアーム３０が、切り起こしにより形成されている。このラッチアーム３０の機能については後述する。シェル２の後端部の中央寄りに位置するのは、シェル２をハウジング２０に固定する固定部３２であり、これについては後述する。また、シェル２の後端部の側壁６a側に位置する、２００で示す部分は、カード２５０の挿入時、及び排出時に作動する検知部である。また、図中３８で示す部分は、シェル２から切り起こされて、カード２５０の検出に使用される電極となるタブであり、取付部材８（図２）上の図示しない導体パッドに接続される。
【００１４】
次にシェル２により覆われた部分の概略を、シェル２との位置関係を明瞭にするために説明する。図２及び図３に明瞭に示されているようにハウジング２０の後部には、カード２５０の挿抜方向と直交する方向に、コンタクト３６が一列に配置されている。コンタクト３６とシェルの主面４との間には空間があり、この中にカード２５０がコンタクト３６を撓めながら挿入される。ハウジング２０の左側、即ち側壁６a側には、ハウジング２０に沿って前後方向に摺動するスライダ４０がハウジング２０上に配置されている。スライダ４０はシェル２により、上面と側面を押さえられた状態で摺動する。このスライダ４０には金属製のカムロッド（カム従動子）４２が配置されており、カムロッド４２は、スライダ４０と共に移動するよう構成されている。
【００１５】
他方、ハウジング２０には、スライダ４０の前方に、略ハート型のカム溝（以下、単にカム溝という）１００が形成され、カムロッド４２はこのカム溝１００内をスライダ４０の移動に伴って移動するよう構成されている。その際、カムロッド４２は、前述のシェル２と一体に形成された前述の押さえ片２６によって、スライダ４０から抜け出ないように押圧保持されている。押さえ片２６の前方に位置するラッチアーム３０は、ハウジング２０とシェル２が係合したときに、ラッチアーム３０の先端３０aが、ハウジング２０の前壁２０aと係合してシェル２が前方に抜け出るのを防止するためのものである。
【００１６】
更に、図４及び図５を参照して、ハウジング２０とシェル２との取付関係について説明する。図４は図１のコネクタ１の側面図であり、（A）は図１のコネクタ１を矢印Ｌから見た左側面図であり、（B）は矢印Ｒから見た右側面図である。図５は、図３の５−５線に沿ったコンタクト取付部分の部分拡大縦断面図である。シェル２の側壁６a、６bの前部下端には、夫々爪５２、５４が内側に折り曲げられて、ハウジング２０の夫々対応する凹部５６、５８に係合している。これによりシェル２の前部が、ハウジング２０の上方に浮き上がるのを防止している。また、シェル２の後部においては、側壁６aには、後方に開放する矩形の切欠き６０が形成され、この切欠き６０内にハウジング２０の矩形の突起６２が圧入されて係合している。これによりシェル２がハウジング２０に対し、後方及び上方へ移動することが阻止される。
【００１７】
また、側壁６bの後端下部には、前方に向くラッチアーム６２が形成され、同様にハウジング２０の係止溝６４と係合している。係止溝６４は、側壁８６に部分的に形成されているので、ラッチアーム６２の先端が係止溝６４に突き当たることにより、ハウジング２０に対するシェル２の前方への移動が阻止される。またラッチアーム６２の側面が、係止溝の上壁６４aに当接することにより、シェル２が浮き上がるのを防止している。シェル２の主面４の後端部には、更に前述の固定部３２が形成されている。この固定部３２は、シェル２がＬ字状に折り曲げられて形成された垂下部３２aと、更に垂下部３２aから主面４と平行に後方に延びている先端部６６を有する。他方、ハウジング２０には、先端部６６に対応する位置に、係止孔６８が形成され、先端部６６がこの係止孔６８内に挿入されて係止されている。これらによりハウジング２０に対してシェル２が後方向及び上下方向に外れないように互いに結合される。
【００１８】
図５には、コンタクト３６がハウジング２０に装着されている状態が明瞭に示されている。コンタクト３６は、略U字状に形成されており、本体３６aがハウジング２０の底壁８２に沿って形成された溝７２内に圧入固定され、タイン７４がハウジング２０の底壁８２の開口７６内に突出して取付部材８（図２）に接続されるようになっている。上方に折り返された弾性を有する接触アーム７８は、先端部に内側に湾曲し更に外側に延びる接触部８０を有する。この接触部８０が、挿入されるカード２５０の図示しない接点即ちコンタクトと電気的に接続される。ハウジング２０に装着されたコンタクト３６が前後方向に位置ずれしているが、カード２５０が挿入されると、前方（図５における左側）のコンタクト３６が先にカード２５０の接地用接点と接地接続され、次に後方のコンタクト３６が信号用接点に接続される。
【００１９】
次に、図３と同様なハウジング２０の平面図を図６に示す。図６は、図３と同様なハウジングの平面図である。ハウジング２０は、底壁８２、この底壁８２から立ち上がる後壁８４、側壁８６を有すると共に、側壁８６の反対側に、スライダ４０が装着されるスライダ装着部（以下、単に装着部という）９０を有する。なお、装着部９０の部分を明瞭にするため、図中には装着部９０に対応する部分をシェードで示す。ハウジング２０の前端は開放しており、カード２５０を挿入する嵌合部１４の一部を構成する。カード２５０は、これらの側壁８６、後壁８４、装着部９０及びシェル２で形成される空間、即ちカード受容部８８内に挿入される。なお、スライダ４０と、その関連部品及びスライダ装着部９０によりエジェクト機構が構成される。
【００２０】
ハウジング２０には、底壁８２にシェル２の開口２２と同様な、略矩形の開口７６が形成されている。ハウジング２０の後部の底壁８２には、前述のコンタクト３６の本体３６aを保持するための、前後方向に延びる溝７２が複数個横方向、即ち前後方向と直交する方向に配列されている。側壁８６には係止溝６４の前方に同様な形状の逃げ溝６５が形成されている。この逃げ溝６５は、シェル２をハウジング２０に装着するときに、シェル２のラッチアーム６２をこの逃げ溝６５に位置合わせし、この逃げ溝６５に沿うようにして、シェル２をハウジング２０に被せる際にラッチアーム６２とハウジング２０が互いに干渉しないようにするためのものである。次にシェル２を後方に移動させて最終的にシェル２とハウジング２０の組み立てがなされる。
【００２１】
装着部９０の前端部には、ハート型のカム溝１００が収束部１０２をコネクタ１の前部側にし、幅広部１０４を後部側にして配置されている。このカム溝１００の詳細については後述する。カム溝１００の近傍、且つハウジング２０の内側には、前後方向に延びるガイド溝１０６が形成されている。ガイド溝１０６の長さは、カム溝１００の前後方向の全長より僅かに長く、ハウジング２０の前壁２０aの直後に位置している。ガイド溝１０６の後方には、ガイド溝１０６に近接して前後方向にカム部１１０が形成されている。カム部１１０には、内側に解放した切欠き１１２が形成されているが、ハウジング２０には、この切欠き１１２内に傾斜したカム面１１４が形成されている。カム面１１４は、カード２５０の挿入方向に内方に行くに従って、内側になるよう直線的に傾斜している。このカム面１１４からは、さらに、挿入方向に沿って内向きの支持面１１６が形成されている。この支持面１１６からは、さらに、段部１２０を経て、カード２５０の形状に沿って湾曲された湾曲面１２１が、形成されている。
【００２２】
カム部１１０の後方には、支持面１１６に近接して前後方向に延びる別のガイド溝１２２が形成されている。このガイド溝１２２および前述のガイド溝１０６は、スライダ４０をガイド（案内）するためのものである。
【００２３】
カム部１１０及びガイド溝１２２の外側には、前後方向に延びるばね収容溝１２６が形成されている。このばね収容溝１２６には、スライダ４０をカード２５０の抜去方向に付勢する為の圧縮コイルばね（以下、単にコイルばねという）１８２（図６）が配置される。ばね収容溝１２６の後端壁１２８には前方に向く凸部１３０が形成され、この周囲にコイルばね１８２の一端が配置される。これらのばね収容溝１２６及び凸部１３０も装着部９０の一部を構成する。
【００２４】
次に、図７を参照して、カム溝１００について詳細に説明する。図７はカム溝１００を示し、図７（A）は、カム溝１００の拡大平面図、図７（B）は、図７（A）の７B−７B線に沿うカム溝１００の横断面図である。以下、図７を参照して説明する。カム溝１００は、モールドにより成形され、前後方向に延びる４つの平行に延びる直線的な経路と、これらの経路を連結する斜めの経路とから構成される。具体的には、直線的な経路は、収束部１０２となる端部１００A（係止解除位置）から後方に直線的に延びる経路１４０aと、この経路１４０aの内側に隣接して位置し、端部１００Bを通り経路１４０aに平行に延びる経路１４０cと、更に内側に隣接して端部１００C（係止位置）を通って経路１４０cに平行に延びる経路１４０eと、更に内側に端部１００Dを通って同様に経路１４０eに平行に延びる経路１４０gとから構成される。
【００２５】
これらの直線的な経路は、直線的な経路を経て次の直線的な経路に案内するように傾斜した斜面１４２a、１４２b、１４２c、１４２dを経て矢印で示す経路１４０b、１４０d、１４０f、１４０hにより連結されている。これにより端部１００Aを起点としてカム従動子即ちカムロッド４２が時計回りに移動可能な循環経路が構成される。
【００２６】
カム溝１００内には、図７（B）に示すように前後方向に延びる谷部と山部が、前後方向（カード２５０の挿抜方向）と直交する方向に交互に連続して設けられている。具体的には、前述の４つの直線的な経路１４０a、１４０c、１４０e、１４０gには、それらの中心を前後方向に谷部１４６が形成され、それらの谷部１４６の間には山部１４８が谷部１４６と平行に形成されている。
【００２７】
なお、図７（Ａ）及び図７（B）から判るように、カムロッド４２は、カム溝１００内を移動する際、隣接する直線的な経路に移動するときは、前述の斜面１４２a、１４２b、１４２c、１４２dで案内されて、山部１４８を乗り越えて次の経路に進入し、スライダ４０が前方にコイルばね１８２で付勢されていることと相俟って、逆に戻ることが防止される。また、図７（B）から判るように、カムロッド４２は、シェル２の押さえ片２６により上部を弾性的に押圧されているので、谷部１４６及び山部１４８により構成される凹凸状のカム溝１００の底面１５０を、底面１５０に付勢された状態で移動することができる。スライダ４０とカム溝１００との関係の詳細については後述する。
【００２８】
次に、図８を参照して、スライダ４０について説明する。図８（Ａ）は、スライダ４０の平面図、図８（Ｂ）は側面図、（ｃ）は底面図を夫々示す。図８に示すように、スライダ４０は、平面形状が細長い略矩形をしており、後端部内側に湾曲した延長部１５４が形成されている。延長部１５４の先端部には、前向きの当接面１５６aを有する突部１５６が横方向内側に形成されている。延長部１５４の湾曲形状は、カード２５０の対応部分の湾曲形状と類似の形状とされる。
【００２９】
スライダ４０の前部には、カムロッド配置部（以下、単に配置部という）１６０が構成され、中央部から後部にかけて、カード２５０をロックするためのロック部材１７６を取り付けるロック部材取付部（以下、単に取付部という）１７０が形成されている。配置部１６０には、上向きの平坦面１６２が形成され、この平坦面１６２の後端の外側寄りには、カムロッド４２の端部４２ａを収容する孔１６８が、紙面と直行する方向に穿設されている。この平坦面１６２の両側には、平坦面１６２の後部から前方に向けて、内面が傾斜した立壁１６４、１６６が、孔１６８を挟んで形成されている。立壁１６４、１６６の傾斜面１６４a、１６６aは、それらにより形成される領域が前方になるに従い拡開するよう構成されている。立壁１６４の先端１６４bは、スライダ４０の先端１７２の手前で終端し、立壁１６６の先端は、立壁１６４の先端１６４bと前後方向の同じ位置まで延び、更に先端１７２まで同じ幅で延びている。
【００３０】
カムロッド４２は、図７（B）及び図８（A）に最もよく示すように、断面円形の金属線の両端が、略同じ長さに折り曲げられて、両端部が短い略コ字状に形成されている。カムロッド４２の折り曲げられた一端側の端部４２aは、孔１６８に揺動自在に挿入され、本体４２cは平坦面１６２上に位置し、先端側の端部４２bは、スライダ４０の先端１７２を越えてその外側に位置する。これにより端部４２bはスライダ４０の先端部で、矢印Wで示すように左右方向に自由に揺動可能となる。端部４２ｂは、前述のカム溝１００内を循環してスライダ４０を前後に移動させて、スライダ４０をカード２５０を受容するカード受容位置と、カード２５０を排出する排出位置とに位置決めする。従って、カムロッド４２、カム溝１００およびこれらに付随する部材が、位置決め機構を構成する。
【００３１】
延長部１５４の後部の下面１５５には、前後方向に延びる溝１７４が形成されており、ロック部材１７６は、この溝１７４内に圧入固定されている。ここで図９を合わせて参照し、ロック部材１７６の詳細について説明する。図９は、ロック部材１７６が取り付けられたスライダ４０と、このスライダ４０が載置される、ハウジング２０の装着部９０を部分的に示した概略斜視図である。ロック部材１７６は、金属板を打抜きおよび折り曲げ加工して形成されている。ロック部材１７６は、略帯状に形成された金属板であり、直線状のアーム１７６ａと、このアーム１７６ａから側方に湾曲して前方に延びる係合突起１７６ｂと、この係合突起１７６ｂからアーム１７６ａと略平行に前方に延びる幅広の舌片（自由端部）１７６ｃとから構成される。係合突起１７６ｂは、後ろ向きの係合面１７７と、斜め前方に延びるガイド面１７９を有する。
【００３２】
延長部１５４の溝１７４は、スライダ４０の後端１８８から前方に延びており、この部分にロック部材１７６のアーム１７６ａの後部（固定端部）が取り付けられている。延長部１５４は、ロック部材１７６を保持する溝１７４を形成する片側部分が、前方に延出して規制壁１８１を構成している。この規制壁１８１は、ロック部材１７６が、ハウジング２０の内方即ちカード２５０側に必要以上に撓むのを規制するためのものである。前述の係合突起１７６ｂは、この規制壁１８１の前端１８１ａからスライダ４０の内側縁１８３を越えて、カード２５０側に突出している。規制壁１８１の逆側には他の壁はないので、ロック部材１７６は、規制壁１８１と反対側方向に撓むことができる。即ちカード２５０との係合を解除する方向に撓むことができる。
【００３３】
スライダ４０のロック部材取付部１７０（図８（Ａ））には、ハウジング２０のばね収容溝１２６に対応する位置に、他のばね収容溝１７８が形成されている。ハウジング２０のばね収容溝１２６と、スライダ４０のばね収容溝１７８により形成される円筒状の空間内にコイルばね１８２が配置される。ばね収容溝１７８前端の後ろ向きの壁面１８４には、ハウジング２０に形成された凸部１３０に対向して凸部１８６が形成されており、これら両凸部１３０、１８６の周りにコイルばね１８２が配置されるとともに、ハウジング２０の前向きの後端壁１２８（図６）とスライダ４０の後ろ向きの壁面１８４との間にコイルばね１８２が圧縮状態に保持される。
【００３４】
なお、スライダ４０の先端１７２近傍及び後部には、前後方向に延びるリブ１９０，１９２が、ガイド溝１０６、１２２に対応する位置に突設されている。これらのリブ１９０、１９２は、夫々ハウジング２０のガイド溝１０６、１２２内に、前後方向に移動可能に配置されて、スライダ４０が装着部９０上を移動する際の案内（ガイド）となる。
【００３５】
次に、スライダ４０の作動について説明する。図１０乃至図１２は、コネクタ１内のスライダ４０の作動を透視的に示す図であり、図１０は、カード２５０がコネクタ１内に完全に挿入された状態の平面図であり、図１１は、カード２５０をコネクタ１から抜去するときの、図１０と同様な平面図であり、図１２は、カード２５０がロックされている状態において、無理にカード２５０を引き抜いたときの状態を示す図１０と同様な平面図を示す。
【００３６】
以下、図３、図７、図８、図１０および図１２を参照して説明する。スライダ４０は、カード２５０が挿入される前の初期位置即ち係止解除位置では、カムロッド４２の端部４２bは、図７に示すカム溝１００の端部１００Aに位置している。このときスライダ４０は最も前方即ち嵌合部１４側に位置している。この初期位置ではロック部材１７６の舌片１７６ｃは、ハウジング２０の支持面１１６から挿抜方向に離隔したカム面１１４に位置している。自由端部の舌片１７６ｃはカム面１１４に接していないので、ロック部材１７６の舌片１７６ｃ（自由端部）は自由に外側即ちカード２５０との係合解除方向に撓みうる。
【００３７】
次にカード２５０をコネクタ１に挿入して、カード２５０の先端２５４がスライダ４０の当接面１５６aに当接するよう、指でカード２５０を押圧して最も奥側即ち後方まで押し込むと、図１０に示す位置となる。即ち、カムロッド４２の端部４２bは、図７（Ａ）に示すように、カム溝１００の直線的な経路１４０a、斜めの経路１４０bを通って、端部１００Bに至るとそれ以上押し込まれることが阻止され、指を離すとコイルばね１８２によりスライダ４０が前方に押圧されて、端部４２bは、斜めの経路１４０dを通って、係止位置となる端部１００Cで停止する。端部４２bは斜めの経路１４０b及び１４０dを通過するときに山部１４８（図７（B））を乗り越える。
【００３８】
図１０に示すように、カード２５０が完全に挿入されると、スライダ４０は、カード２５０の挿入に伴って最も後方に移動し、カード２５０の切欠き２５２とロック部材２７６とが完全に係合している。即ち切欠き２５２の、嵌合部１４の方を向く面２５２ａと、ロック部材１７６の係合面１７７とが係合しているので、カード２５０がロックされた状態となる。このとき、ロック部材１７６の自由端部の舌片１７６ｃが、ハウジング２０の支持面１１６に接しているので、ロック部材１７６が偶発的にロック解除方向に撓むことが阻止され、カード２５０の切欠き２５２とロック部材１７６との係合が確実になされる。
【００３９】
次にカード２５０を排出するときは、カード２５０を再度指で押圧することにより、斜めの経路１４０f（図７（Ａ））を通って隣接する直線的な経路１４０gに移動し、押圧する力を弱めると、コイルばね１８２によりスライダ４０とともにカード２５０が押し出される。このとき、ロック部材１７６の舌片１７６ｃは、ハウジング２０の支持面１１６から前方即ち嵌合部１４側に移動して離隔する。換言するとこの状態では、舌片１７６ｃは支持面１１６には支持されていない状態となる。そして、さらなるカード２５０の引き抜きにより、ロック部材１７６は、外方に撓められて、切欠き２５２とロック部材１７６との係合が解除される。  カムロッド４２の端部４２bはカード２５０が排出された位置では、カム溝１００の端部１００Aに復帰している。コネクタ１はこのようにカード２５０の押圧操作のみで、カード２５０を挿抜することができる。
【００４０】
次に、カード２５０がロックされた状態において、カード２５０を誤って、引き抜いた場合について図１２を参照して説明する。カード２５０の引き抜き操作により、ロック部材１７６の係合面１７７が、カード２５０の切欠き２５２の係合面２５２ａにより、カード２５０の排出方向に押される。しかし、カムロッド４２の端部４２ｂが、カム溝１００の端部１００Ｃの位置に留まった状態なので、スライダ４０は排出方向に移動しない。
【００４１】
ここで重要なことは、図８（Ｂ）に最もよく示すように、ハウジング２０の支持面１１６に支持されている舌片１７６ｃの部分が、スライダ４０の底面１８９から突出している部分であり、カード２５０の切欠き２５２と係合している部分が係合部１７７である点である。即ち、この舌片１７６ｃが突出している部分と、係合部１７７は、ロック部材１７６の板幅方向（図８（Ｂ）における左右方向）に偏倚（オフセット）している点が重要である。これにより係合面１７６ｂに抜去のための力が加わると、係合突起１７６ｂの形状がカードの挿抜方向に僅かに延びるように変形するとともに、図８（Ｂ）において、矢印Ｚで示す方向へロック部材１７６の固定端部の回りにねじれて変形する。これにより、係合突起１７６ｂの頂点１９１の突出高さが低くなり、カード２５０の切欠き２５２との係合が解除され、カード２５０が引き出される。図１２は、この係合が解除された状態を示す。
【００４２】
このように本発明のコネクタは、カード２５０とロック部材１７６とのロック強度が大きいにもかかわらず、カード２５０を無理に引き抜こうとした場合でも、カード／ロック部材を破損することがない。
【００４３】
以上、本発明の好適な実施の形態について説明したが、本実施形態に限定されるものではない、例えば、カムロッド４２は、それ自体でカム溝１００に付勢するようにハウジング２０に取り付けるように構成してもよい。
【図面の簡単な説明】
【図１】本発明のカード用コネクタの平面図
【図２】図１に示すカード用コネクタの正面図
【図３】図１に示すカード用コネクタを透視的に示した図１と同様の平面図
【図４】図１のカード用コネクタの側面図であり、（Ａ）は図１のコネクタを矢印Ｌから見た左側面図、（Ｂ）は矢印Ｒから見た右側面図である。
【図５】図３の５−５線に沿った、コンタクト取付部分の拡大縦断面図
【図６】図３と同様なハウジングの平面図
【図７】ハウジングのハート型のカム溝を示し、（Ａ）はカム溝の拡大平面図、（Ｂ）は（Ａ）の７B−７B線に沿うカム溝の横断面図
【図８】スライダを示し、（Ａ）は平面図、（Ｂ）は側面図、（ｃ）は底面図を夫々示す。
【図９】ロック部材が取り付けられたスライダと、このスライダが載置される、ハウジングの装着部を部分的に示した概略斜視図
【図１０】カードがコネクタ内に完全に挿入された状態の平面図
【図１１】カードをコネクタから抜去するときの図１０と同様な平面図
【図１２】カードがロックされている状態において、無理にカードを引き抜いたときの状態を示す図１０と同様な平面図
【符号の説明】
１    カード用コネクタ
２０    ハウジング
３６    コンタクト
４０    スライダ
１１０    カム部
１１６    支持面
１７６    ロック部材
１７６ｂ    係合突起
１７６ｃ    自由端部（舌片）
２５０    記録媒体（カード）
２５２    切欠き
【図１】
0004105400.tif 000002
【図２】
0004105400.tif 000003
【図３】
0004105400.tif 000004
【図４】
0004105400.tif 000005
【図５】
0004105400.tif 000006
【図６】
0004105400.tif 000007
【図７】
0004105400.tif 000008
【図８】
0004105400.tif 000009
【図９】
0004105400.tif 000010
【図１０】
0004105400.tif 000011
【図１１】
0004105400.tif 000012
【図１２】
0004105400.tif 000013